(57)【要約】【課題】据え置いた状態で表示画面が見やすく、かつ、その表示画面を閉状態で保護しながら見ることが可能な携帯通信端末を提供する。【解決手段】第１の筐体１と、第１の筐体１に重なった閉状態で第１の筐体１に面する面の裏面に、画面表示部２１を備えた第２の筐体２と、閉状態で画面表示部２１に重なる部分に透明部３１を備えた画面カバー部３と、画面カバー部３を回転可能に第１の筐体１に連結したヒンジ部４と、第２の筐体２をヒンジ部４に連結し、ヒンジ部４を中心に回転するリンク部と、第２の筐体２の一端を、回転と第１の筐体１に沿ったスライド移動との並行動作可能に第１の筐体１に連結した第１のスライド機構５と、第２の筐体２の他端を、回転と画面カバー部３に沿ったスライド移動との並行動作可能に画面カバー部３に連結した第２のスライド機構６と、を有する。【選択図】図１
2012094986.tif 000002
【特許請求の範囲】
【請求項１】
第１の筐体と、
前記第１の筐体に重なった閉状態で前記第１の筐体に面する面の裏面に、画面表示部を備えた第２の筐体と、
前記閉状態で前記画面表示部に重なる部分に透明部を備えた画面カバー部と、
前記画面カバー部を回転可能に前記第１の筐体に連結したヒンジ部と、
前記第２の筐体を前記ヒンジ部に連結し、前記ヒンジ部を中心に回転するリンク部と、
前記第２の筐体の一端を、回転と前記第１の筐体に沿ったスライド移動との並行動作可能に、前記第１の筐体に連結した第１のスライド機構と、
前記第２の筐体の他端を、回転と前記画面カバー部に沿ったスライド移動との並行動作可能に、前記画面カバー部に連結した第２のスライド機構と、
を有する携帯通信端末。
【請求項２】
前記画面表示部が、前記透明部の押圧によるタッチパネル操作を受け付ける、請求項１に記載の携帯通信端末。
【請求項３】
前記第１の筐体が、前記閉状態で前記第２の筐体に面する面に、前記携帯通信端末の操作を受け付ける操作部を備えている、請求項１または２に記載の携帯通信端末。
【発明の詳細な説明】
【技術分野】
【０００１】
本発明は、携帯電話機に代表される携帯通信端末に関する。
【背景技術】
【０００２】
携帯電話機に代表される携帯通信端末の開閉方式として、折り畳み式とスライド式が知られている。スライド式携帯電話機は、一般的に、画面表示部を備えた一方の筐体を、他方の筐体に対してスライド移動させることによって、開状態と閉状態とを切り換えている。このようなスライド式携帯電話機が特許文献１に開示されている。
【０００３】
図５は、特許文献１に開示されたスライド式携帯電話機の構成を示す斜視図である。
【０００４】
図５に示すスライド式携帯電話機１００には、上部筐体４００と下部筐体５００とを連結する接続腕部７００が設けられている。上部筐体４００の表面には、表示機能を備えた液晶６００が設けられている。下部筐体５００の後端部には、伸縮可能なアンテナ２００が設けられている。スライド式携帯電話機１００では、図５（ａ）に示す閉状態から接続腕部７００が回転すると、図５（ｂ）に示すようにアンテナ２００が伸びるとともに、上部筐体４００の先端部が下部筐体５００に沿って移動する。そして、スライド式携帯電話機１００は、最終的に図５（ｃ）に示すような開状態となる。
【０００５】
スライド式携帯電話機１００によれば、上部筐体４００のスライド移動に連動してアンテナ２００を伸縮させることによって、アンテナ２００の伸縮作業を省くことが可能になる。また、上部筐体４００が下部筐体５００に対して傾斜した状態に変位するので、スライド式携帯電話機１００を、例えば机の上に据え置いた状態で液晶６００の表示画面が見やすくなる。
【先行技術文献】
【特許文献】
【０００６】
【特許文献１】特開２００３−２９８６９５号公報
【発明の概要】
【発明が解決しようとする課題】
【０００７】
特許文献１に開示されたスライド式携帯電話機１００は、据え置いた状態で表示画面が見やすくなるが、上部筐体４００の開閉状態にかかわらず液晶６００が露出している。そのため、液晶６００が傷付きやすい。これに対し、折り畳み式携帯電話機は、閉状態のときに表示画面が筐体の間に隠れるので、表示画面を保護できる。しかし、折り畳み式携帯電話機は、閉状態で表示画面を見ることができない。
【０００８】
そこで、本発明は、据え置いた状態で表示画面が見やすく、かつ、その表示画面を閉状態で保護しながら見ることが可能な携帯通信端末を提供することを目的とする。
【課題を解決するための手段】
【０００９】
上記目的を達成するため、本発明による携帯通信端末は、第１の筐体と、前記第１の筐体に重なった閉状態で前記第１の筐体に面する面の裏面に、画面表示部を備えた第２の筐体と、前記閉状態で前記画面表示部に重なる部分に透明部を備えた画面カバー部と、前記画面カバー部を回転可能に前記第１の筐体に連結したヒンジ部と、前記第２の筐体を前記ヒンジ部に連結し、前記ヒンジ部を中心に回転するリンク部と、前記第２の筐体の一端を、回転と前記第１の筐体に沿ったスライド移動との並行動作可能に、前記第１の筐体に連結した第１のスライド機構と、前記第２の筐体の他端を、回転と前記画面カバー部に沿ったスライド移動との並行動作可能に前記画面カバー部に連結した第２のスライド機構と、を有する。
【発明の効果】
【００１０】
上記のように構成された本発明によれば、第２の筐体は閉状態から第１の筐体に対して傾斜した状態に変位できるので、携帯通信端末を据え置いた状態で画面表示部の表示画面が見やすくなる。また、画面カバー部には透明部が設けられているので、携帯通信端末が閉状態のときに画面表示部の表示画面を保護しながら見ることが可能となる。
【図面の簡単な説明】
【００１１】
【図１】本発明の携帯通信端末の一実施形態を示す側面図である。
【図２】図１に示す携帯通信端末の第１の筐体の平面図である。
【図３】図１に示す携帯通信端末の第２の筐体の平面図である。
【図４】図１に示す携帯通信端末の画面カバー部の平面図である。
【図５】特許文献１に開示されたスライド式携帯電話機の構成を示す斜視図である。
【発明を実施するための形態】
【００１２】
まず、本実施形態の携帯通信端末の構成について説明する。
【００１３】
図１は、本発明の携帯通信端末の一実施形態を示す側面図である。図１（ａ）は本実施形態の携帯通信端末１０の閉状態を示す側面図である。図１（ｂ）は、携帯通信端末１０が閉状態から開状態に切り替わる途中の形態を示す側面図である。図１（ｃ）は、携帯通信端末１０の開状態を示す側面図である。
【００１４】
携帯通信端末１０は、第１の筐体１と、第２の筐体２と、画面カバー部３と、を有している。図１（ａ）に示すように、携帯通信端末１０が閉状態のとき、第２の筐体２を挟んで第１の筐体１と画面カバー部３とが互いに重なっている。
【００１５】
図２は、第１の筐体１の平面図である。なお、図２は、第１の筐体１を、閉状態で第２の筐体２と面する表面から見たときの平面図である。第１の筐体１では、図２に示すように、表面が矩形となっており、その表面に操作部１１が設けられている。操作部１１は、複数の操作キーを有し、各操作キーを通じて携帯通信端末１０の操作を受け付ける。
【００１６】
図３は、第２の筐体２の平面図である。なお、図３は、第２の筐体２を、閉状態で第１の筐体１と面する面の裏面から見たときの平面図である。第２の筐体２では、図３に示すように、第１の筐体１と同様に裏面が矩形となっており、その裏面に画面表示部２１が設けられている。本実施形態では、画面表示部２１は、操作部１１で受け付けられた操作や予め定められたプログラムなどに基づいて所定の液晶画像を表示する。
【００１７】
図４は、画面カバー部３の平面図である。なお、画面カバー部３は、図４に示すように透明部３１を備えている。透明部３１は、閉状態のときに第２の筐体２の画面表示部２１と重なる部分に設けられている。そのため、閉状態のときに画面表示部２１を保護しながら、画面表示部２１の表示画面を見ることが可能となる。また、画面表示部２１は、閉状態のとき透明部３１の押圧によるタッチパネル操作を受付可能なので、閉状態で携帯通信端末１０を操作することも可能となる。
【００１８】
画面カバー部３はヒンジ部４によって第１の筐体１に回転可能に連結されている。ヒンジ部４の内部には、操作部１１と画面表示部２１とを電気的に接続する信号線が配線されている。
【００１９】
第２の筐体２の一端は、第１のスライド機構５によって、回転と第１の筐体１に沿ったスライド移動との並行動作可能に連結されている。第１のスライド機構５は、図１（ｂ）に示すように溝部５１と、連結部材５２とを有する。溝部５１は、第１の筐体１の側面に形成されている。連結部材５２には、第２の筐体２の一端が回転可能に連結されている。連結部材５２が溝部５１に沿ってスライド移動することによって、第２の筐体２の一端が、回転しながら第１の筐体１に沿ってスライド移動する。
【００２０】
また、第２の筐体２の他端は、第２のスライド機構６によって、回転と画面カバー部３に沿ったスライド移動との並行動作可能に連結されている。第２のスライド機構６は、図１（ｂ）に示すように溝部６１と、連結部材６２とを有する。溝部６１は、画面カバー部３の側面に形成されている。連結部材６２には、第２の筐体の他端が回転可能に連結されている。連結部材６２が溝部６１に沿ってスライド移動することによって、第２の筐体の他端が、回転しながら画面カバー部３に沿ってスライド移動する。
【００２１】
また、第２の筐体２は、リンク部７によってヒンジ部４に連結されている。リンク部７は、ヒンジ部４を中心として画面カバー部３と同じ方向に回転する。このとき、第２の筐体２がヒンジ部４の連結箇所を中心として画面カバー部３と反対方向に回転できるように、第２の筐体２は、リンク部７に連結されている。
【００２２】
次に、本実施形態の携帯通信端末１０の動作について説明する。なお、ここでは、携帯通信端末１０が閉状態から開状態に切り替わる動作について説明する。
【００２３】
図１（ａ）に示す閉状態から画面カバー部３がヒンジ部４を中心として時計回りに回転すると、図１（ｂ）に示すように、画面カバー部３の回転に連動してリンク部７も第２の筐体２を支持しながら同じ方向に回転する。
【００２４】
リンク部７が回転すると、第１のスライド機構５の連結部材５２が溝部５２に沿ってヒンジ部４に近づく方向Ａ（図１（ｂ）参照）に移動する。これにより、第２の筐体２の一端が回転しながら方向Ａにスライド移動する。第２の筐体２の一端のスライド移動に連動して、第２のスライド機構６の連結部材６２が溝部６２に沿ってヒンジ部４から離れる方向Ｂ（図１（ｂ）参照）に移動する。これにより、第２の筐体２の他端が回転しながら方向Ｂにスライド移動する。上述したこれらの動作によって、第２の筐体２は、図１（ｂ）に示すように閉状態から第１の筐体１に対して傾斜した状態に変位する。
【００２５】
画面カバー部３の回転が限界に達すると図１（ｃ）に示すように携帯通信端末１０は開状態となる。携帯通信端末１０が開状態になると、操作部１１を通じて携帯通信端末１０の操作が可能になる。
【００２６】
上述したように、本実施形態の携帯通信端末１０によれば、第２の筐体２は、閉状態から第１の筐体１に対して傾斜した状態に変位できるので、携帯通信端末１０を据え置いた状態で画面表示部２１の表示画面が見やすくなる。また、画面カバー部３には透明部３１が設けられているので、携帯通信端末１０が閉状態のときに画面表示部２１の表示画面を保護しながら見ることが可能となる。
【符号の説明】
【００２７】
１  第１の筐体
２  第２の筐体
３  画面カバー部
４  ヒンジ部
５  第１のスライド機構
６  第２のスライド機構
７  リンク部
１０  携帯通信端末
１１  操作部
２１  画面表示部
３１  透明部
５１、６１  溝部
５２、６２  連結部材
１００  スライド式携帯電話機
２００  アンテナ
４００  上部筐体
５００  下部筐体
６００  液晶
７００  接続腕部
【図１】
2012094986.tif 000003
【図２】
2012094986.tif 000004
【図３】
2012094986.tif 000005
【図４】
2012094986.tif 000006
【図５】
2012094986.tif 000007